(57)【要約】【課題】本発明は、第２レンズ群と第４レンズ群の二つのレンズ群に変倍作用を持たせることにより、各群の移動量を軽減する。そして、第３レンズ群でズーミングに際しての像面位置の補正を行うことにより、各レンズ群の移動量を十分に確保しつつ、第１レンズ群と像面の間隔が変化しないコンパクトなズームレンズを提供すること。【解決手段】物体側から像面側に向かって、順次、負の屈折力を有する第１レンズ群、正の屈折力を有する第２レンズ群、正の屈折力を有する第３レンズ群、及び負の屈折力を有する第４レンズ群から構成され、広角端から望遠端にかけてズーミングする際に、前記第１レンズ群は固定であり、前記第１レンズ群と前記第２レンズ群の間隔は小さくなり、前記第２レンズ群と前記第３レンズ群の間隔は広くなり、前記第３レンズ群と前記第４レンズ群の間隔は小さくなるようにした。【選択図】    図１
2010191019.tif 000002
【特許請求の範囲】
【請求項１】
物体側から像面側に向かって、順次、負の屈折力を有する第１レンズ群、正の屈折力を有する第２レンズ群、正の屈折力を有する第３レンズ群、及び負の屈折力を有する第４レンズ群から構成され、
広角端から望遠端にかけてズーミングする際に、前記第１レンズ群は固定であり、前記第１レンズ群と前記第２レンズ群の間隔は小さくなり、前記第２レンズ群と前記第３レンズ群の間隔は広くなり、前記第３レンズ群と前記第４レンズ群の間隔は小さくなることを特徴とするズームレンズ。
【請求項２】
前記第１レンズ群は、物体面から順次配置された、第１レンズ要素Ｌ１１と第２レンズ要素Ｌ１２の二つのレンズ要素による接合レンズであり、
前記第１レンズ要素Ｌ１１、及び前記第２レンズ要素Ｌ１２が、以下の条件式（１）を満足することを特徴とする請求項１に記載のズームレンズ。
７０＜νｄｅｆｆ＜３５０                                   ・・・（１）
ただし、
νdeff＝１／[ｆt・（φ1／νｆ１＋φ2／νｆ２）]
νｆ１は、前記第１レンズ要素Ｌ１１のアッベ数、
νｆ２は、前記第２レンズ要素Ｌ１２のアッベ数、
ｆｔは、前記接合レンズの焦点距離、
φ１＝１／ｆ１  （ｆ１は前記第１レンズ要素Ｌ１１の焦点距離）、
φ２＝１／ｆ２  （ｆ２は前記第２レンズ要素Ｌ１２の焦点距離）、
アッベ数は（nd-1）/(nf-nC)である。
【請求項３】
前記第１レンズ要素Ｌ１１と前記第２レンズ要素Ｌ１２の界面の形状は非球面形状であることを特徴とする請求項２に記載のズームレンズ。
【請求項４】
前記第１レンズ要素Ｌ１１と前記第２レンズ要素Ｌ１２による前記接合レンズが、以下の条件式（２）を満足することを特徴とする請求項２または３に記載のズームレンズ。
９０＜νｄｅｆｆ＜３５０                                  ・・・（２）
【請求項５】
開口絞りが、前記第１レンズ群と前記第３レンズ群の間に配置され、
前記開口絞りは開口径が広角端時に比べ、望遠端時に大きくなることを特徴とする請求項１に記載のズームレンズ。
【請求項６】
前記開口絞りよりも像側の少なくとも一つのレンズ群が、物体面から順次配置された、第１レンズ要素Ｌｂ１、第２レンズ要素Ｌｂ２の二つのレンズ要素からなる接合レンズであり、
前記第１レンズ要素Ｌｂ１、及び前記第２レンズ要素Ｌｂ２が、以下の条件式（３）を満足することを特徴とする請求項１に記載のズームレンズ。
１０＜Δν＜７０                                          ・・・（３）
ただし、Δν＝|νｂ１−νｂ２|であり、
νｂ１は、前記第１レンズ要素Ｌｂ１のアッベ数、
νｂ２は、前記第２レンズ要素Ｌｂ２のアッベ数、
である。
【請求項７】
光学系を構成するすべてのレンズ要素の硝材の屈折率が、以下の条件式（４）を満足することを特徴とする請求項１から４のいずれかに記載のズームレンズ。
１．４５＜ｎｄ＜１．６５                                    ・・・（４）
ただし、ｎｄはｄ線に対する屈折率である。
【請求項８】
前記第３レンズ群は最も像面側の形状が像面方向に凸形状であり、
前記第４レンズ群との間の空気間隔が以下の条件式（５）または（６）を満足することを特徴とする請求項１に記載のズームレンズ。
Ｒｎ＜０．３５のとき、
|ｄＧ３Ｇ４（Ｒｎ）／ｆｌ（ｗ）−０．３７|＜０．００３０    ・・・（５）
Ｒｎ＝０．３５、及びＲｎ＝０．５のとき、
|ｄＧ３Ｇ４（Ｒｎ＝０．５）／ｆｌ（ｗ）−ｄＧ３Ｇ４（Ｒｎ＝０．３５）／ｆｌ（ｗ）|＞０．００４                                             ・・・（６）
ただし、ｄＧ３Ｇ４（Ｒｎ＝０．５）は、Ｒｎ＝０．５であるときの前記第３レンズ            群と前記第４レンズ群の空気間隔、
ｄＧ３Ｇ４（Ｒｎ＝０．３５）は、Ｒｎ＝０．３５であるときの前記第３レン
ズ群と前記第４レンズ群の空気間隔、
Ｒｎ＝|ＲＧ３／ｆｌ（Ｗ）| （前記第３レンズ群の最も像面側の面における
光軸からの距離ＲＧ３を広角端の焦点距離ｆｌ（Ｗ）で規格化したもの）、
である。
【請求項９】
請求項１から８のいずれかに記載の前記ズームレンズと、電子撮像素子と、を備えたことを特徴とする撮像装置。
【発明の詳細な説明】
【技術分野】
【０００１】
本発明は、ズームレンズおよびそれを備えた撮像装置に関する。
【背景技術】
【０００２】
近年、銀塩フィルムカメラに代わり、ＣＣＤ（Charge Coupled Device）やＣＭＯＳ（Complementary Metal-Oxide Semiconductor）のような固体撮像素子を備えたデジタルカメラが主流となっている。それらのデジタルカメラには、業務用高機能タイプのものからコンパクトな普及タイプのものまで様々な種類のものがある。
【０００３】
そして、それらのうち、コンパクトな普及タイプのデジタルカメラは、手軽に撮影を楽しみたいというユーザーの要望もあって、小型化が進んだ結果、服やカバンのポケットなどへの収納性が良く、持ち運びに便利なデジタルカメラが登場している。このような小型のデジタルカメラは、収納場所や使用場所を選ばないために、堅牢性や防塵性も重要な要素になってきている。
【０００４】
そのため、そのようなデジタルカメラに採用されるズームレンズには、より一層の小型化が要求されるとともに、堅牢性や防塵性が要求されるようになってきている。
【０００５】
このような要求を満たすズームレンズとして、特許文献１に示されたズームレンズがある。特許文献１に示されたズームレンズは、負の屈折力を有する第１レンズ群、正の屈折力を有する第２レンズ群、正のパワーを有する第３レンズ群、第４レンズ群より構成されている。ここで、第１レンズ群は、変倍時の際に、常時固定、すなわち像面との間隔が変化しない。
【先行技術文献】
【特許文献】
【０００６】
【特許文献１】特開２００７−２８６５４８号公報
【発明の概要】
【発明が解決しようとする課題】
【０００７】
しかしながら、特許文献１に示された光学系では、第３レンズ群の移動量を大きく確保する必要がある。そのため、特許文献１に示された光学系では、全長の小型化を行うことが困難であった。
【０００８】
本発明は、従来技術のこのような問題点に鑑みてなされたものであり、良好な光学性能を有し、小型でコストパフォーマンスに優れたコンパクトなズームレンズ及びそれを備えた撮像装置を提供することを目的とする。
【課題を解決するための手段】
【０００９】
前記課題を解決するために、本発明によるズームレンズは、物体側から像面側に向かって、順次、負の屈折力を有する第１レンズ群、正の屈折力を有する第２レンズ群、正の屈折力を有する第３レンズ群、及び負の屈折力を有する第４レンズ群から構成され、広角端から望遠端にかけてズーミングする際に、前記第１レンズ群は固定であり、前記第１レンズ群と前記第２レンズ群の間隔は小さくなり、前記第２レンズ群と前記第３レンズ群の間隔は広くなり、前記第３レンズ群と前記第４レンズ群の間隔は小さくなることを特徴としている。
【００１０】
また、本発明のズームレンズにおいては、前記第１レンズ群は、物体面から順次配置された、第１レンズ要素Ｌ１１と第２レンズ要素Ｌ１２の二つのレンズ要素による接合レンズであり、前記第１レンズ要素Ｌ１１、及び前記第２レンズ要素Ｌ１２が、以下の条件式（１）を満足するのが好ましい。
７０＜νｄｅｆｆ＜３５０                                    ・・・（１）
ただし、νdeff＝１／[ｆt・（φ1／νｆ１＋φ2／νｆ２）]
νｆ１は、前記第１レンズ要素Ｌ１１のアッベ数、
νｆ２は、前記第２レンズ要素Ｌ１２のアッベ数、
ｆｔは、前記接合レンズの焦点距離、
φ１＝１／ｆ１  （ｆ１は前記第１レンズ要素Ｌ１１の焦点距離）、
φ２＝１／ｆ２  （ｆ２は前記第２レンズ要素Ｌ１２の焦点距離）、
アッベ数は（nd-1）/(nf-nC)である。
【００１１】
また、本発明のズームレンズにおいては、前記第１レンズ要素Ｌ１１と前記第２レンズ要素Ｌ１２の界面の形状は非球面形状であることが好ましい。
【００１２】
また、本発明のズームレンズにおいては、前記第１レンズ要素Ｌ１１と前記第２レンズ要素Ｌ１２による前記接合レンズが、以下の条件式（２）を満足することが好ましい。
９０＜νｄｅｆｆ＜３５０                                    ・・・（２）
【００１３】
また、本発明のズームレンズにおいては、開口絞りが、前記第１レンズ群と前記第３レンズ群の間に配置され、前記開口絞りは開口径が広角端時に比べ、望遠端時に大きくなることが好ましい。
【００１４】
また、本発明のズームレンズにおいては、前記開口絞りよりも像側の少なくとも一つのレンズ群が、物体面から順次配置された、第１レンズ要素Ｌｂ１、第２レンズ要素Ｌｂ２の二つのレンズ要素からなる接合レンズであり、前記第１レンズ要素Ｌｂ１、及び前記第２レンズ要素Ｌｂ２が、以下の条件式（３）を満足することが好ましい。
１０＜Δν＜７０                                           ・・・（３）
ただし、Δν＝|νｂ１−νｂ２|であり、
νｂ１は、前記第１レンズ要素Ｌｂ１のアッベ数、
νｂ２は、前記第２レンズ要素Ｌｂ２のアッベ数、
である。
【００１５】
また、本発明のズームレンズにおいては、光学系を構成するすべてのレンズ要素の硝材の屈折率が、以下の条件式（４）を満足することが好ましい。
１．４５＜ｎｄ＜１．６５                                     ・・・（４）
ただし、ｎｄはｄ線に対する屈折率である。
【００１６】
また、本発明のズームレンズにおいては、前記第３レンズ群は最も像面側の形状が像面方向に凸形状であり、前記第４レンズ群との間の空気間隔が以下の条件式（５）または（６）を満足することが好ましい。
Ｒｎ＜０．３５のとき、
|ｄＧ３Ｇ４（Ｒｎ）／ｆｌ（ｗ）−０．３７|＜０．００３０     ・・・（５）
Ｒｎ＝０．３５、及びＲｎ＝０．５のとき、
|ｄＧ３Ｇ４（Ｒｎ＝０．５）／ｆｌ（ｗ）−ｄＧ３Ｇ４（Ｒｎ＝０．３５）／ｆｌ（ｗ）|＞０．００４                                              ・・・（６）
ただし、ｄＧ３Ｇ４（Ｒｎ＝０．５）は、Ｒｎ＝０．５であるときの前記第３レンズ群
と前記第４レンズ群の空気間隔、
ｄＧ３Ｇ４（Ｒｎ＝０．３５）は、Ｒｎ＝０．３５であるときの前記第３レン
ズ群と前記第４レンズ群の空気間隔、
Ｒｎ＝|ＲＧ３／ｆｌ（Ｗ）| （前記第３レンズ群の最も像面側の面における
光軸からの距離ＲＧ３を広角端の焦点距離ｆｌ（Ｗ）で規格化したもの）、
である。
【００１７】
また、本発明のズームレンズを備えた撮像装置は、本発明の前記ズームレンズと、電子撮像素子と、を備えたことを特徴としている。
【発明の効果】
【００１８】
本発明のズームレンズによれば、良好な光学性能を有し、小型でコストパフォーマンスに優れたコンパクトなズームレンズ及びそれを備えた撮像装置を提供することができる。
【図面の簡単な説明】
【００１９】
【図１】本発明に係るズームレンズの実施例１のレンズ断面図である。
【図２】実施例１の収差図であり、（ａ）は広角端、（ｂ）は中間、（ｃ）は望遠端における状態を示している。
【図３】本発明に係るズームレンズの実施例２のレンズ断面図である。
【図４】実施例２の収差図であり、（ａ）は広角端、（ｂ）は中間、（ｃ）は望遠端における状態を示している。
【図５】本発明に係るズームレンズの実施例３のレンズ断面図である。
【図６】実施例３の収差図であり、（ａ）は広角端、（ｂ）は中間、（ｃ）は望遠端における状態を示している。
【図７】本発明に係るズームレンズの実施例４のレンズ断面図である。
【図８】実施例４の収差図であり、（ａ）は広角端、（ｂ）は中間、（ｃ）は望遠端における状態を示している。
【図９】本発明に係るズームレンズの実施例５のレンズ断面図である。
【図１０】実施例５の収差図であり、（ａ）は広角端、（ｂ）は中間、（ｃ）は望遠端における状態を示している。
【図１１】本発明のズームレンズを組み込んだデジタルカメラの外観を示す前方斜視図である。
【図１２】図１１に示すデジタルカメラの外観を示す後方斜視図である。
【図１３】図１１に示すデジタルカメラの構成を模式的に示した透視図である。
【発明を実施するための形態】
【００２０】
実施例の説明に先立ち、本実施形態のズームレンズの作用効果について説明する。
本実施形態のズームレンズは、物体側から像面側に向かって、順次、負の屈折力を有する第１レンズ群、正の屈折力を有する第２レンズ群、正の屈折力を有する第３レンズ群、及び負の屈折力を有する第４レンズ群から構成され、広角端から望遠端にかけてズーミングする際に、第１レンズ群は固定であり、第１レンズ群と第２レンズ群の間隔は小さくなり、第２レンズ群と第３レンズ群の間隔は広くなり記第３レンズ群と第４レンズ群の間隔は小さくなる。
【００２１】
本実施形態のズームレンズでは、第２レンズ群と第４レンズ群の二つのレンズ群に変倍作用を持たせている。これにより、各レンズ群の移動量を軽減している。また、第３レンズ群でズーミングに際しての像面位置の補正を行うことにより、各レンズ群の移動量を十分に確保している。
【００２２】
そして、本実施形態のズームレンズでは、ズーミング時は、常時第１レンズ群を固定としている（第１レンズ群と像面の間隔が変化しない）ので、カメラ本体に対して第１レンズ群を固定することができる。そのため、カメラ本体に対して第１レンズ群が移動する場合に比べて、堅牢性や防塵性を高めることができる。
【００２３】
本実施形態のズームレンズは、好ましくは、第１レンズ群は、物体面から順次配置された、第１レンズ要素Ｌ１１と第２レンズ要素Ｌ１２の二つのレンズ要素による接合レンズであり、第１レンズ要素Ｌ１１、及び第２レンズ要素Ｌ１２が、以下の条件式（１）を満足するのがよい。
７０＜νｄｅｆｆ＜３５０                                    ・・・（１）
ただし、νdeff＝１／[ｆt（φ1／νｆ１＋φ2／νｆ２）]、
νｆ１は、第１レンズ要素Ｌ１１のアッベ数、
νｆ２は、第２レンズ要素Ｌ１２のアッベ数、
ｆｔは、接合レンズの焦点距離、
φ１＝１／ｆ１  （ｆ１は第１レンズ要素Ｌ１１の焦点距離）、
φ２＝１／ｆ２  （ｆ２は第２レンズ要素Ｌ１２の焦点距離）、
アッベ数は（nd-1）/(nf-nC)である。
【００２４】
全長を固定とし、且つ、小型にすると、第１レンズ群で発生した色収差を、第２レンズ群以降でのズーム全域で補正することが困難となる。そこで、上記条件式（１）を満足するように第１レンズ群を構成する。これにより、全長を長くすることなく、第１レンズ群での色収差の発生を小さくすることができる。条件式（１）はそのアッベ数差、パワー配分を規定するものである。下限値を下回ると、色収差の補正が不足となり好ましくない。上限値を超えると、色収差の補正が過剰となり、光学性能の低下を招くため好ましくない。
【００２５】
また、本実施形態のズームレンズは、好ましくは、第１レンズ要素Ｌ１１と第２レンズ要素Ｌ１２の界面の形状は非球面形状であることがよい。
【００２６】
光軸に近い領域と、周辺部で、接合界面の屈折力が異なることにより、軸上色収差と倍率色収差の両方を良好に補正することが可能である。
【００２７】
また、本実施形態のズームレンズは、好ましくは、第１レンズ要素Ｌ１１と第２レンズ要素Ｌ１２による接合レンズが、以下の条件式（２）を満足することがよい。
９０＜νｄｅｆｆ＜３５０                                  ・・・（２）
【００２８】
上記条件式（２）を満足することにより、高い像高での倍率色収差をより効果的に補正することが可能である。
また、以下の条件式（２’）を満足するようにすると更に良好な補正が可能となる。
１６０＜νｄｅｆｆ＜３５０                                ・・・（２’）
【００２９】
また、本実施形態のズームレンズは、好ましくは、開口絞りが、第１レンズ群と第３レンズ群の間に配置され、開口絞りは開口径が広角端時に比べ、望遠端時に大きくなることがよい。
【００３０】
負先行型の光学系（第１レンズ群が負の屈折力を有する光学系）において、十分な変倍比を確保しようとすると、Ｆｎｏの変動が大きくなる。そこで、このように開口絞りを構成すれば、望遠側のＦｎｏを十分な光量が確保できる値にすること、又は、回折の影響を受けない値にすることができる。また、広角側のＦｎｏを必要以上に明るい値にすることがなくなるので、収差による画質の劣化を防ぐことができる。
【００３１】
また、本実施形態のズームレンズは、好ましくは、開口絞りよりも像側の少なくとも一つのレンズ群が、物体面から順次配置された、第１レンズ要素Ｌｂ１、第２レンズ要素Ｌｂ２の二つのレンズ要素からなる接合レンズであり、第１レンズ要素Ｌｂ１、及び第２レンズ要素Ｌｂ２が、以下の条件式（３）を満足することがよい。
１０＜Δν＜７０                                          ・・・（３）
ただし、Δν＝|νｂ１−νｂ２|であり、
νｂ１は、第１レンズ要素Ｌｂ１のアッベ数、
νｂ２は、第２レンズ要素Ｌｂ２のアッベ数、
である。
【００３２】
絞りよりも像面側に接合レンズを配置することにより、特に第２レンズ群以降全体の倍率色収差をより良好に補正を行うことが可能となる。上記条件式（３）はその接合レンズの硝材が満たすべき条件を指定するものである。上限値を超えると、補正が過剰となる。下限値を下回ると、補正不足となり好ましくない。
また、以下の条件式（３’）を満足するようにすると更に良好な補正が可能となる。
３０＜Δν＜５０                                          ・・・（３’）
【００３３】
また、本実施形態のズームレンズは、好ましくは、光学系を構成するすべてのレンズ要素の硝材の屈折率が、以下の条件式（４）を満足することがよい。
１．４５＜ｎｄ＜１．６５                                    ・・・（４）
ただし、ｎｄはｄ線に対する屈折率である。
【００３４】
光学系の小型化にあたり、良好な性能を確保するためにはレンズの中肉公差は非常に厳しくなる。中でも像面湾曲、球面収差等の収差は、レンズ中肉の変化に対して大きく変化する。よって、光学系の小型化にあたっては、レンズを精度よく作る必要がある。レンズを精度よく製造するためには成型による製造が望ましい。そこで、使用する硝材が上記条件式（４）を満足することにより、成型レンズの適用が容易となる。これにより、中肉の精度を高めることができるので、像面湾曲、球面収差への影響を軽減することが可能である。
【００３５】
また、光学系を小型化するにあたり、課題となるのは諸収差による周辺性能の劣化である。それを軽減するには、強い非球面を用いて、近軸領域と周辺部での光学面形状を大きく変化させる必要がある。その場合、硝材そのものの屈折率を低くすることが好ましい。このようにすると、形状による屈折力への寄与を大きくすることができる。
【００３６】
そこで、使用する硝材が上記条件式（４）を満足することにより、形状の自由度が増し、周辺性能を確保することが可能である。上限値を上回ると、周辺部での形状に自由度が確保できず、周辺性能の劣化を招き好ましくない。下限値を下回ると、屈折力不足のため非球面形状が強くなりすぎるため、周辺性能の劣化を招き好ましくない。
【００３７】
また、本実施形態のズームレンズは、好ましくは、第３レンズ群は最も像面側の形状が像面方向に凸形状であり、第４レンズ群との間の空気間隔が以下の条件式（５）または（６）を満足することがよい。
Ｒｎ＜０．３５のとき、
|ｄＧ３Ｇ４（Ｒｎ）／ｆｌ（ｗ）−０．３７|＜０．００３０     ・・・（５）
Ｒｎ＝０．３５、及びＲｎ＝０．５のとき、
|ｄＧ３Ｇ４（Ｒｎ＝０．５）／ｆｌ（ｗ）−ｄＧ３Ｇ４（Ｒｎ＝０．３５）／
ｆｌ（ｗ）|＞０．００４                                      ・・・（６）
ただし、ｄＧ３Ｇ４（Ｒｎ＝０．５）は、Ｒｎ＝０．５であるときの第３レンズ群と        第４レンズ群の空気間隔、
ｄＧ３Ｇ４（Ｒｎ＝０．３５）は、Ｒｎ＝０．３５であるときの第３レンズ群と
第４レンズ群の空気間隔、
Ｒｎ＝|ＲＧ３／ｆｌ（Ｗ）|（第３レンズ群の最も像面側の面における光軸からの
距離ＲＧ３を広角端の焦点距離ｆｌ（Ｗ）で規格化したもの）、
である。
【００３８】
本実施形態のズームレンズを電子撮像素子と組み合わせた場合、第３レンズ群と第４レンズ群の間に形成される空間の形状は、軸外光線のセンサ入射角に大きく影響を与える。上記条件式（５）と（６）は、両群の空気間隔はある高さまではほぼ一定であり、それを超えると、大きく間隔が広がることを特徴付けるものである。これは第４レンズ群の光線入射面において周辺部にいくほど負パワーが減少することにより、光学系の像面湾曲を良好に補正しつつ、周辺光線を緩やかにセンサに入射させることを可能にしている。
【００３９】
上記条件式（５）は、比較的光軸に近い領域の形状を指定するものである。上限値を上回ると、変倍時の軸上収差の補正が困難となり好ましくない。
また、上記条件式（６）は、周辺部での形状を指定するものであり、下限値を下回ると、周辺光線のセンサ入射角が大きくなり好ましくない。
【００４０】
さらに、本実施形態のズームレンズを備えた撮像装置は、本実施形態のズームレンズと、電子撮像素子と、を有したものである。
【実施例】
【００４１】
以下、本実施形態のズームレンズを用いた実施例１、実施例２、実施例３、実施例４及び実施例５について説明する。
実施例１のズームレンズの断面図を図１に、実施例２のズームレンズの断面図を図３に、実施例３のズームレンズの断面図を図５に、実施例４のズームレンズの断面図を図７に、実施例５のズームレンズの断面図を図９に示す。各図において、（ａ）は広角端、（ｂ）は中間、（ｃ）は望遠端における状態をそれぞれ示している。
また、実施例１のズームレンズの無限遠物点合焦時における球面収差、非点収差、歪曲収差、倍率色収差を図２に示す。実施例２のズームレンズの無限遠物点合焦時における球面収差、非点収差、歪曲収差、倍率色収差を図４に示す。実施例３のズームレンズの無限遠物点合焦時における球面収差、非点収差、歪曲収差、倍率色収差を図６に示す。実施例４のズームレンズの無限遠物点合焦時における球面収差、非点収差、歪曲収差、倍率色収差を図８に示す。実施例５のズームレンズの無限遠物点合焦時における球面収差、非点収差、歪曲収差、倍率色収差を図１０に示す。各図において、（ａ）は広角端、（ｂ）は中間、（ｃ）は望遠端における状態をそれぞれ示している。
【００４２】
実施例１
図１を用いて本実施例のズームレンズの光学構成を説明する。本実施例のズームレンズは、光軸Ｌｃ上に、物体側から順に、負の屈折力を有する第１レンズ群Ｇ１、正の屈折力を有する第２レンズ群Ｇ２、正の屈折力を有する第３レンズ群Ｇ３、負の屈折力を有する第４レンズ群Ｇ４が配置されている。また、第４レンズ群Ｇ４の像側には、物体側から順にＣＣＤカバーガラスＣＧ、撮像面ＩＭを持つＣＣＤが配置されている。本実施例は、像面湾曲、コマ収差、倍率色収差の改善を特に考慮している。
【００４３】
第１レンズ群Ｇ１は、物体側から順に、両凹レンズの第１レンズ要素Ｌ１１と、物体側に凸面を向けた正メニスカスレンズの第２レンズ要素Ｌ１２による接合レンズである。また、第１レンズ要素Ｌ１１と第２レンズ要素Ｌ１２の界面は非球面形状である。
【００４４】
第２レンズ群Ｇ２は、物体側から順に、両凸レンズの第１レンズ要素Ｌ２１と、両凸レンズの第２レンズ要素Ｌ２２と、両凹レンズの第３レンズ要素Ｌ２３により構成されている。そして、第２レンズ要素Ｌ２２と第３レンズ要素Ｌ２３は接合レンズである。また、第１レンズ要素Ｌ２１と第２レンズ要素Ｌ２２との間には開口絞りＳが配置されている。開口絞りＳは開口径が図１の（ａ）と（ｃ）に示されるように、広角端時に比べ、望遠端時に大きくなるようになっている。
【００４５】
第３レンズ群Ｇ３は、物体側から順に、像側に凸面を向けた正メニスカスレンズの第１レンズ要素Ｌ３１と、像側に凸面を向けた正メニスカスレンズの第２レンズ要素Ｌ３２による接合レンズである。
【００４６】
第４レンズ群Ｇ４は、像側に凸面を向けた負メニスカスレンズの第１レンズ要素Ｌ４のみにより構成されている。
【００４７】
また、変倍する際に、第１レンズ群Ｇ１は移動せず、第２レンズ群Ｇ２と第３レンズ群Ｇ３と第４レンズ群Ｇ４は光軸Ｌｃ上を移動する。そして、広角端から望遠端に変倍する際に、第１レンズ群Ｇ１と第２レンズ群Ｇ２の間隔は小さくなり、第２レンズ群Ｇ２と第３レンズ群Ｇ３の間隔は広くなり、第３レンズ群Ｇ３と第４レンズ群の間隔は小さくなるように移動する。
【００４８】
実施例２
図３を用いて本実施例のズームレンズの光学構成を説明する。本実施例のズームレンズは、光軸Ｌｃ上に、物体側から順に、負の屈折力を有する第１レンズ群Ｇ１、正の屈折力を有する第２レンズ群Ｇ２、正の屈折力を有する第３レンズ群Ｇ３、負の屈折力を有する第４レンズ群Ｇ４が配置されている。また、第４レンズ群Ｇ４の像側には、物体側から順にＣＣＤカバーガラスＣＧ、撮像面ＩＭを持つＣＣＤが配置されている。本実施例は、像面湾曲、コマ収差、倍率色収差の改善を特に考慮している。
【００４９】
第１レンズ群Ｇ１は、物体側から順に、両凹レンズの第１レンズ要素Ｌ１１と、物体側に凸面を向けた正メニスカスレンズの第２レンズ要素Ｌ１２による接合レンズである。
【００５０】
第２レンズ群Ｇ２は、物体側から順に、両凸レンズの第１レンズ要素Ｌ２１と、両凸レンズの第２レンズ要素Ｌ２２と、両凹レンズの第３レンズ要素Ｌ２３により構成されている。また、第１レンズ要素Ｌ２１と第２レンズ要素Ｌ２２との間には開口絞りＳが配置されている。開口絞りＳは開口径が図３の（ａ）と（ｃ）に示されるように、広角端時に比べ、望遠端時に大きくなるようになっている。
【００５１】
第３レンズ群Ｇ３は、像側に凸面を向けた正メニスカスレンズの第１レンズ要素Ｌ３のみにより構成されている。
【００５２】
第４レンズ群Ｇ４は、物体側から順に、像側に凸面を向けた負メニスカスレンズの第１レンズ要素Ｌ４１と、像側に凸面を向けた負メニスカスレンズの第２レンズ要素Ｌ４２による接合レンズである。
【００５３】
また、変倍する際に、第１レンズ群Ｇ１は移動せず、第２レンズ群Ｇ２と第３レンズ群Ｇ３と第４レンズ群Ｇ４は光軸Ｌｃ上を移動する。そして、広角端から望遠端に変倍する際に、第１レンズ群Ｇ１と第２レンズ群Ｇ２の間隔は小さくなり、第２レンズ群Ｇ２と第３レンズ群Ｇ３の間隔は広くなり、第３レンズ群Ｇ３と第４レンズ群の間隔は小さくなるように移動する。
【００５４】
実施例３
図５を用いて本実施例のズームレンズの光学構成を説明する。本実施例のズームレンズは、光軸Ｌｃ上に、物体側から順に、負の屈折力を有する第１レンズ群Ｇ１、正の屈折力を有する第２レンズ群Ｇ２、正の屈折力を有する第３レンズ群Ｇ３、負の屈折力を有する第４レンズ群Ｇ４が配置されている。また、第４レンズ群Ｇ４の像側には、物体側から順にＣＣＤカバーガラスＣＧ、撮像面ＩＭを持つＣＣＤが配置されている。本実施例は、像面湾曲、コマ収差の改善を特に考慮している。
【００５５】
第１レンズ群Ｇ１は、物体側から順に、両凹レンズの第１レンズ要素Ｌ１１と、物体側に凸面を向けた正メニスカスレンズの第２レンズ要素Ｌ１２による接合レンズである。また、第１レンズ要素Ｌ１１と第２レンズ要素Ｌ１２の界面は非球面形状である。
【００５６】
第２レンズ群Ｇ２は、物体側から順に、両凸レンズの第１レンズ要素Ｌ２１と、両凸レンズの第２レンズ要素Ｌ２２と、両凹レンズの第３レンズ要素Ｌ２３により構成されている。また、第１レンズ要素Ｌ２１と第２レンズ要素Ｌ２２との間には開口絞りＳが配置されている。開口絞りＳは開口径が図５の（ａ）と（ｃ）に示されるように、広角端時に比べ、望遠端時に大きくなるようになっている。
【００５７】
第３レンズ群Ｇ３は、像側に凸面を向けた正メニスカスレンズの第１レンズ要素Ｌ３のみにより構成されている。
【００５８】
第４レンズ群Ｇ４は、像側に凸面を向けた負メニスカスレンズの第１レンズ要素Ｌ４のみにより構成されている。
【００５９】
また、変倍する際に、第１レンズ群Ｇ１は移動せず、第２レンズ群Ｇ２と第３レンズ群Ｇ３と第４レンズ群Ｇ４は光軸Ｌｃ上を移動する。そして、広角端から望遠端に変倍する際に、第１レンズ群Ｇ１と第２レンズ群Ｇ２の間隔は小さくなり、第２レンズ群Ｇ２と第３レンズ群Ｇ３の間隔は広くなり、第３レンズ群Ｇ３と第４レンズ群の間隔は小さくなるように移動する。
【００６０】
実施例４
図７を用いて本実施例のズームレンズの光学構成を説明する。本実施例のズームレンズは、光軸Ｌｃ上に、物体側から順に、負の屈折力を有する第１レンズ群Ｇ１、正の屈折力を有する第２レンズ群Ｇ２、正の屈折力を有する第３レンズ群Ｇ３、負の屈折力を有する第４レンズ群Ｇ４が配置されている。また、第４レンズ群Ｇ４の像側には、物体側から順にＣＣＤカバーガラスＣＧ、撮像面ＩＭを持つＣＣＤが配置されている。
【００６１】
第１レンズ群Ｇ１は、物体側から順に、両凹レンズの第１レンズ要素Ｌ１１と、物体側に凸面を向けた正メニスカスレンズの第２レンズ要素Ｌ１２による接合レンズである。また、第１レンズ要素Ｌ１１と第２レンズ要素Ｌ１２の界面は非球面形状である。
【００６２】
第２レンズ群Ｇ２は、物体側から順に、両凸レンズの第１レンズ要素Ｌ２１と、物体側に凸面を向けた負メニスカスレンズの第２レンズ要素Ｌ２２により構成されている。また、第１レンズ要素Ｌ２１と第２レンズ要素Ｌ２２との間には開口絞りＳが配置されている。開口絞りＳは開口径が図７の（ａ）と（ｃ）に示されるように、広角端時に比べ、望遠端時に大きくなるようになっている。
【００６３】
第３レンズ群Ｇ３は、像側に凸面を向けた正メニスカスレンズの第１レンズ要素Ｌ３のみにより構成されている。
【００６４】
第４レンズ群Ｇ４は、像側に凸面を向けた負メニスカスレンズの第１レンズ要素Ｌ４のみにより構成されている。
【００６５】
また、変倍する際に、第１レンズ群Ｇ１は移動せず、第２レンズ群Ｇ２と第３レンズ群Ｇ３と第４レンズ群Ｇ４は光軸Ｌｃ上を移動する。そして、広角端から望遠端に変倍する際に、第１レンズ群Ｇ１と第２レンズ群Ｇ２の間隔は小さくなり、第２レンズ群Ｇ２と第３レンズ群Ｇ３の間隔は広くなり、第３レンズ群Ｇ３と第４レンズ群の間隔は小さくなるように移動する。
【００６６】
実施例５
図９を用いて本実施例のズームレンズの光学構成を説明する。本実施例のズームレンズは、光軸Ｌｃ上に、物体側から順に、負の屈折力を有する第１レンズ群Ｇ１、正の屈折力を有する第２レンズ群Ｇ２、正の屈折力を有する第３レンズ群Ｇ３、負の屈折力を有する第４レンズ群Ｇ４が配置されている。また、第４レンズ群Ｇ４の像側には、物体側から順にＣＣＤカバーガラスＣＧ、撮像面ＩＭを持つＣＣＤが配置されている。
【００６７】
第１レンズ群Ｇ１は、両凹レンズの第１レンズ要素Ｌ１のみにより構成されている。
【００６８】
第２レンズ群Ｇ２は、物体側から順に、両凸レンズの第１レンズ要素Ｌ２１と、物体側に凸面を向けた負メニスカスレンズの第２レンズ要素Ｌ２２により構成されている。また、第１レンズ要素Ｌ２１と第２レンズ要素Ｌ２２との間には開口絞りＳが配置されている。開口絞りＳは開口径が図７の（ａ）と（ｃ）に示されるように、広角端時に比べ、望遠端時に大きくなるようになっている。
【００６９】
第３レンズ群Ｇ３は、像側に凸面を向けた正メニスカスレンズの第１レンズ要素Ｌ３のみにより構成されている。
【００７０】
第４レンズ群Ｇ４は、像側に凸面を向けた負メニスカスレンズの第１レンズ要素Ｌ４のみにより構成されている。
【００７１】
また、変倍する際に、第１レンズ群Ｇ１は移動せず、第２レンズ群Ｇ２と第３レンズ群Ｇ３と第４レンズ群Ｇ４は光軸Ｌｃ上を移動する。そして、広角端から望遠端に変倍する際に、第１レンズ群Ｇ１と第２レンズ群Ｇ２の間隔は小さくなり、第２レンズ群Ｇ２と第３レンズ群Ｇ３の間隔は広くなり、第３レンズ群Ｇ３と第４レンズ群の間隔は小さくなるように移動する。
【００７２】
次に、実施例１、実施例２、実施例３、実施例４及び実施例５のそれぞれについて、ズームレンズを構成する光学部材の数値データを示す。実施例１が、数値実施例１に対応する。実施例２が、数値実施例２に対応する。実施例３が、数値実施例３に対応する。実施例４が、数値実施例４に対応する。実施例５が、数値実施例５に対応する。
なお、数値データ及び図面において、ｒは各レンズ面の曲率半径、ｄは各レンズの肉厚または空気間隔、ｎｄは各レンズのｄ線（587.56nm）での屈折率、νｄは各レンズのｄ線（587.56nm）でのアッベ数、＊（アスタリスク）は非球面を表している。長さの単位はｍｍである。
【００７３】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10                                            ・・・（Ｉ）
また、Ｅは１０のべき乗を表している。なお、これら諸元値の記号は後述の実施例の数値データにおいても共通である。
【００７４】
数値実施例１
単位          ｍｍ
面データ
面番号              ｒ             ｄ          nd          νｄ        有効径
物体面              ∞             ∞         1.                      
1 *               -8.4530        0.5494       1.54454      55.90        3.482
2 *                8.4303        0.5023       1.63387      23.38        2.888
3 *               22.7777        可変         1.                        2.850
4 *                2.7282        0.8650       1.54454      55.90        1.514
5                 -2.230E+04     0.2000       1.                        1.395
6 （絞り）          ∞           0.1574       1.                        可変
7 *                6.4867        0.7613       1.54454      55.90        1.226
8               -281.4788        0.4194       1.63227      23.26        1.083
9 *                3.4869        可変         1.                        0.980
10*               -1.415E+05     1.2518       1.54454      55.90        2.214
11                -4.9634        1.0600       1.60687      27.03        2.418
12*               -3.1693        可変         1.                        2.593
13*               -2.6481        0.4500       1.53071      55.67        2.626
14              -921.2656        可変         1.                        2.744
15                  ∞           0.4000       1.51633      64.14        2.932
16                  ∞           0.3996       1.                        2.942
像面                ∞           0
非球面データ
第1面
K=0.9888, A2=0.0000E+00, A4=3.2608E-03, A6=-8.4137E-05, A8=1.6779E-06,
A10=0.0000E+00
第2面
K=-2.7726, A2=0.0000E+00, A4=6.5160E-03, A6=-3.3294E-04, A8=0.0000E+00,
A10=0.0000E+00
第3面
K=39.4145, A2=0.0000E+00, A4=2.4081E-03, A6=-6.8952E-05, A8=-1.9995E-06,
A10=0.0000E+00
第4面
K=-0.2656, A2=0.0000E+00, A4=2.0473E-03, A6=7.0232E-05, A8=2.9689E-04,
A10=-1.9357E-05
第7面
K=-6.6415, A2=0.0000E+00, A4=-4.4344E-03, A6=-1.6830E-03, A8=-1.3342E-04,
A10=-5.5023E-05
第9面
K=-0.3699, A2=0.0000E+00, A4=5.6352E-03, A6=-8.6901E-04, A8=7.5588E-04,
A10=0.0000E+00
第10面
K=-2.440E+09, A2=0.0000E+00, A4=-5.7928E-03, A6=-5.3350E-04, A8=5.1064E-05,
A10=0.0000E+00
第12面
K=-1.0895, A2=0.0000E+00, A4=-4.5642E-04, A6=1.0424E-04, A8=0.0000E+00,
A10=0.0000E+00
第13面
K=-1.2883, A2=0.0000E+00, A4=1.0364E-02, A6=1.3690E-04, A8=-1.9207E-05,
A10=0.0000E+00
各種データ
ズーム比          2.85
広角端       中間        望遠端
焦点距離         4.7016      7.8998      13.3996       
Ｆナンバー       3.6467      4.0505       5.3651                 
半画角            35.31       21.41        13.35       
像高                2.9         2.9          2.9             
レンズ全長      16.0001     15.9993      16.0009                    
BF               0.8634      1.5425       2.8430 
D３             5.80334     3.35362      0.40097             
D９             1.23307     3.88326      5.82001             
D12             1.74750     0.86707      0.58411             
D14             0.20000     0.87890      2.17938                  
６面有効径      0.88788     1.18949      1.29557       
入射瞳位置       4.6853      3.5783       1.7254                 
射出瞳位置      -3.7714     -5.8205      -7.3987       
前側主点位置     4.6175      3.0024      -2.4064       
後側主点位置    -4.3020     -7.5000     -12.9998                
単レンズデータ
レンズ     始面     焦点距離
1            1       -7.6632
2            2       20.8314
3            4        5.0096
4            7       11.6549
5            8       -5.4443
6           10        9.1152
7           11       11.8121
8           13       -5.0050
ズームレンズ群データ
群   始面   焦点距離   レンズ構成長    倍率       倍率        前側        後側
（広角端） （望遠端）   主点位置    主点位置1     1    -12.12046     1.05171        0           0        0.17760    -0.47739
2     4      6.39759     2.40315    -0.60205    -1.22465    -1.37724    -2.45779
3    10      5.53990     2.31176     0.52322     0.55486     1.51023     0.04592
4    13     -5.00495     0.45000     1.23142     1.62695    -0.00085    -0.29488
【００７５】
数値実施例２
単位          ｍｍ
面データ
面番号            ｒ          ｄ          nd          νｄ       有効径
物体面            ∞          ∞          1.                      
1 *            -10.9650       0.4989      1.54454     55.90       3.333
2                7.7032       0.3102      1.63387     23.38       2.884
3 *             15.6634       可変        1.                      2.850
4 *              3.0654       0.8603      1.54454     55.90       1.506
5               -1.075E+04    0.2000      1.                      1.385
6 （絞り）        ∞          0.1555      1.                      可変
7 *              7.1984       0.7749      1.54454     55.90       1.243
8             -490.5624       0.3104      1.                      1.138
9             -506.0021       0.4591      1.63227     23.26       1.063
10*              3.8503       可変        1.                      0.980
11              -3.068E+05    1.3851      1.54454     55.90       2.043
12*             -2.7492       可変        1.                      2.245
13*             -3.1823       0.2039      1.63387     23.38       2.359
14              -4.5885       0.4732      1.53071     55.67       2.380
15           -3953.1847       可変        1.                      2.593
16                ∞          0.4000      1.51633     64.14       2.932
17                ∞          0.3995SZ    1.                      2.942
像面              ∞          0
非球面データ
第1面
K=6.8122, A2=0.0000E+00, A4=4.2712E-03, A6=-2.8933E-04, A8=1.3603E-05,
A10=0.0000E+00
第3面
K=-0.6987, A2=0.0000E+00, A4=2.8008E-03, A6=-2.5794E-04, A8=1.0657E-05,
A10=0.0000E+00
第4面
K=0.3792, A2=0.0000E+00, A4=3.5275E-04, A6=-1.4735E-04, A8=3.2467E-04,
A10=-3.7650E-05
第7面
K=-3.8962, A2=0.0000E+00, A4=-8.2570E-03, A6=-1.8950E-03, A8=-1.7921E-04,
A10=-1.4897E-06
第10面
K=-0.1423, A2=0.0000E+00, A4=-1.8747E-05, A6=-2.8155E-03, A8=1.2765E-03,
A10=0.0000E+00
第11面
K=-1.987E+09, A2=0.0000E+00, A4=-6.2284E-03, A6=-1.5779E-03, A8=1.9392E-04,
A10=0.0000E+00
第12面
K=-5.2437, A2=0.0000E+00, A4=-1.8939E-02, A6=1.5994E-03, A8=0.0000E+00,
A10=0.0000E+00
第13面
K=-9.3350, A2=0.0000E+00, A4=-1.7565E-02, A6=4.0850E-03, A8=-2.4669E-04,
A10=0.0000E+00
各種データ
ズーム比         2.85
広角端      中間        望遠端
焦点距離        4.7025      7.8996     13.3991       
Ｆナンバー      3.6756      4.0236      5.1660                 
半画角          -34.49       20.00       12.31       
像高               2.9         2.9         2.9             
レンズ全長     16.0004     15.9996     16.0008                    
BF              1.0986      2.1854      5.1303       
D３             6.21560     3.52090     0.39867             
D10             1.37610     3.77317     4.36104             
D12             1.54256     0.75249     0.34314             
D15             0.43525     1.52183     4.46685                  
６面有効径      0.88788     1.18949     1.29557       
入射瞳位置       4.8712     3.6321      1.6074                 
射出瞳位置      -4.2131    -6.9969     -7.7886       
前側主点位置     5.4104     4.7356      1.1094       
後側主点位置    -4.3030    -7.4998    -12.9994                
単レンズデータ
レンズ      始面       焦点距離
1             1        -8.2315
2             2        23.5571
3             4         5.6279
4             7        13.0352
5             9        -6.0415
6            11         5.0486
7            13       -17.3576
8            14        -8.6564
ズームレンズ群データ
群   始面   焦点距離   レンズ構成長    倍率       倍率        前側        後側
（広角端） （望遠端）   主点位置    主点位置1     1    -12.61240     0.80906        0          0        -0.29301     0.30191
2     4      6.81225     2.76013    -0.64167    -1.41937    -2.90151     1.55096
3    11      5.04864     1.38510     0.45657     0.37759     0.00001     0.48833
4    13     -5.68176     0.67714     1.27266     1.98226    -0.45065     0.24276
【００７６】
数値実施例３
単位          ｍｍ
面データ
面番号             ｒ           ｄ           nd          νｄ       有効径
物体面             ∞           ∞          1.                      
1 *              -13.0201       0.5005      1.58313      59.38      3.313
2 *                9.5566       0.2606      1.63387      23.38      2.882
3 *               14.1833       可変        1.                      2.850
4 *                3.0008       0.8458      1.54454      55.90      1.499
5                 -1.964E+04    0.2000      1.                      1.384
6 （絞り）         ∞           0.1518      1.                      可変
7 *                4.4399       0.7801      1.54454      55.90      1.235
8 *             -378.8363       0.1675      1.                      1.132
9               -389.6943       0.4786      1.60687      27.03      1.081
10*                2.6295       可変        1.                      0.980
11*               -2.028E+05    1.4167      1.54454      55.90      2.279
12*               -2.9832       可変        1.                      2.484
13*               -3.6860       0.6942      1.54454      55.90      2.631
14*            -8766.4733       可変        1.                      2.749
15                 ∞           0.4000      1.51633      64.14      2.932
16                 ∞           0.4000      1.                      2.942
像面               ∞           0
非球面データ
第1面
K=8.8053, A2=0.0000E+00, A4=1.9481E-03, A6=-8.6255E-05, A8=5.9958E-06,
A10=0.0000E+00
第2面
K=0.0077, A2=0.0000E+00, A4=-1.7118E-04, A6=1.2258E-04, A8=0.0000E+00,
A10=0.0000E+00
第3面
K=2.2663, A2=0.0000E+00, A4=8.7413E-04, A6=-8.3672E-05, A8=8.6180E-06,
A10=0.0000E+00
第4面
K=0.5702, A2=0.0000E+00, A4=3.9549E-04, A6=-6.7297E-05, A8=1.2869E-04,
A10=-6.3050E-06
第7面
K=-0.1587, A2=0.0000E+00, A4=-1.4584E-02, A6=-4.8736E-03, A8=1.1968E-03,
A10=-5.3555E-04
第8面
K=1.015E+05, A2=0.0000E+00, A4=-7.1816E-03, A6=-6.1465E-04, A8=0.0000E-00,
A10=0.0000E+00
第10面
K=-0.3103, A2=0.0000E+00, A4=3.3139E-03, A6=-3.3326E-03, A8=1.2384E-03,
A10=0.0000E+00
第11面
K=-1.934E+09, A2=0.0000E+00, A4=-5.5394E-03, A6=-1.2191E-03 A8=1.2173E-04,
A10=0.0000E+00
第12面
K=-4.7468, A2=0.0000E+00, A4=-1.3520E-02, A6=7.0373E-04, A8=0.0000E+00,
A10=0.0000E+00
第13面
K=-9.7335, A2=0.0000E+00, A4=-7.2321E-03, A6=2.0854E-03 A8=-1.1702E-04,
A10=0.0000E+00
第14面
K=8.544E+08, A2=0.0000E+00, A4=2.4465E-03, A6=-1.7766E-04, A8=-2.2458E-06,
A10=0.0000E+00
各種データ
ズーム比         2.85
広角端      中間       望遠端
焦点距離        4.7002     7.8999     13.4001       
Ｆナンバー      3.7709     4.0924      5.1741                 
半画角           34.63      20.12       12.30       
像高               2.9        2.9         2.9             
レンズ全長     16.0000    15.9998     15.9999                    
BF              1.0240     1.5895      4.8999       
D３             6.30989    3.55502     0.40320             
D10             1.52559    4.44885     4.74336             
D12             1.50804    0.77439     0.32148             
D14             0.36024    0.92574     4.23602                  
６面有効径      0.88788    1.18949     1.29557       
入射瞳位置       4.7785     3.5682     1.5673                 
射出瞳位置      -4.4937    -8.4820    -8.9651       
前側主点位置     5.4749     5.2716     2.0165       
後側主点位置    -4.3002    -7.4999   -13.0001                
単レンズデータ
レンズ       始面       焦点距離
1              1         -9.3748
2              2         45.2299
3              4          5.5100
4              7          8.0648
5              9         -4.3019
6             11          5.4785
7             13         -6.7720
ズームレンズ群データ
群   始面   焦点距離   レンズ構成長    倍率       倍率        前側        後側
（広角端） （望遠端）   主点位置    主点位置1     1    -11.76382     0.76111        0           0        0.23018    -0.24050
2     4      6.46610     2.62381    -0.65126    -1.60771    -1.91949    -2.83922
3    11      5.47849     1.41669     0.50385     0.39583     0.91724     0.00001
4    13     -6.77199     0.69420     1.21762     1.78995    -0.00019    -0.44965
【００７７】
数値実施例４
単位          ｍｍ
面データ
面番号            ｒ           ｄ          nd           νｄ        有効径
物体面            ∞           ∞          1.                      
1 *            -10.9672       0.6400       1.54454      55.90       3.606
2 *             12.4773       0.3865       1.63387      23.38       3.045
3 *             18.4967       可変         1.                       3.000
4 *              2.7778       1.3154       1.54454      55.90       1.616
5 *             -2.331E+04                 0.2000        1.         1.311
6 （絞り）        ∞          0.2500       1.                       可変
7 *             16.3389       0.9726       1.62980      19.20       1.172
8 *              4.7537       可変         1.                       1.050
9 *             -2.121E+05    1.6834       1.54454      55.90       1.824
10*             -2.9018       可変         1.                       2.136
11*             -2.7194       0.4500       1.53071      55.67       2.464
12           -1111.9523       可変         1.                       2.739
13                ∞          0.4000       1.51633      64.14       2.890
14                ∞          0.3995       1.                       2.966
像面              ∞          0
非球面データ
第1面
K=2.0351, A2=0.0000E+00, A4=3.7180E-03, A6=-2.4145E-04, A8=7.3163E-06,
A10=0.0000E+00
第2面
K=0.4494, A2=0.0000E+00, A4=9.5068E-03, A6=-1.3013E-03, A8=6.5587E-05,
A10=0.0000E+00
第3面
K=26.6308, A2=0.0000E+00, A4=3.5642E-03, A6=-4.5960E-04, A8=1.5817E-05,
A10=0.0000E+00
第4面
K=-0.1182, A2=0.0000E+00, A4=2.6554E-03, A6=6.3836E-04, A8=2.2038E-06,
A10=4.5950E-05
第5面
K=-1.157E+09, A2=0.0000E+00, A4=1.0894E-02, A6=-9.9810E-04, A8=0.0000E+00,
A10=0.0000E+00
第7面
K=52.7438, A2=0.0000E+00, A4=-2.8654E-03, A6=-5.6948E-03, A8=1.5740E-03,
A10=-6.6403E-04
第8面
K=0.3832, A2=0.0000E+00, A4=-2.9564E-03, A6=-2.8904E-03, A8=5.5043E-04,
A10=0.0000E+00
第9面
K=-2.421E+09, A2=0.0000E+00, A4=-7.8144E-03, A6=-1.5147E-03 A8=1.0785E-04,
A10=0.0000E+00
第10面
K=-3.3051, A2=0.0000E+00, A4=-1.0433E-02, A6=7.3724E-04, A8=1.2763E-05,
A10=0.0000E+00
第11面
K=-0.0125, A2=0.0000E+00, A4=1.7258E-02, A6=9.4367E-04, A8=5.8476E-05,
A10=0.0000E+00
各種データ
ズーム比         2.85
広角端      中間       望遠端
焦点距離        4.7011     7.8996     13.3988       
Ｆナンバー      3.3823     3.7805      5.1680                 
半画角           34.72      20.99       12.68       
像高               2.9        2.9         2.9             
レンズ全長     16.0002    15.9996     16.0003                    
BF              0.9634     2.6770      5.1735       
D３             5.85008    3.45351    0.39989             
D８             1.26083    2.89080    3.77807             
D10             1.89171    0.94414    0.61473             
D12             0.30013    2.01345    4.50995                  
６面有効径      0.88788    1.18949    1.22166       
入射瞳位置       5.0155    3.9387      2.0679                 
射出瞳位置      -3.6146   -4.8969     -5.7146       
前側主点位置     4.8892    3.5991     -1.0232       
後側主点位置    -4.3016   -7.4998    -13.0000                
単レンズデータ
レンズ      始面      焦点距離
1             1       -10.6167
2             2        59.0167
3             4         5.1007
4             7       -11.0019
5             9         5.3289
6            11        -5.1375
ズームレンズ群データ
群   始面   焦点距離   レンズ構成長    倍率       倍率        前側        後側
広角端） （望遠端）   主点位置    主点位置
1     1    -12.87628     1.02645        0          0         0.24870    -0.39387
2     4      6.95157     2.73807    -0.64386    -1.30020    -1.37194    -2.70632
3     9      5.32891     1.68341     0.45549     0.38771     1.08992     0.00001
4    11     -5.13748     0.45000     1.24490     2.06439    -0.00072    -0.29474
【００７８】
数値実施例５
単位          ｍｍ
面データ
面番号             ｒ           ｄ           nd          νｄ         有効径
物体面             ∞           ∞          1.                      
1 *             -13.6017       0.8479       1.58913      61.14        3.660
2 *              18.1293       可変         1.                        3.200
3 *               2.8850       1.7753       1.54454      55.90        1.722
4 *              -8.691E+04                 0.2000       1.           1.291
5 （絞り）         ∞          0.2500       1.                        可変
6 *              10.3480       1.5824       1.62980      19.20        0.888
7 *               3.6729       可変         1.                        1.050
8 *              -2.357E+05    1.6601       1.54454      55.90        2.024
9*               -2.7120       可変         1.                        2.269
10*              -2.8308       0.4500       1.53071      55.67        2.491
11*           -1105.8789       可変         1.           2.712
12                 ∞          0.4000       1.51633      64.14        2.928
13                 ∞          0.4004SZ     1.                        2.961
像面               ∞          0
非球面データ
第1面
K=2.7345, A2=0.0000E+00, A4=3.2861E-03, A6=-2.9050E-04, A8=1.1005E-05,
A10=-1.2267E-07
第2面
K=10.7103, A2=0.0000E+00, A4=2.6994E-03, A6=-3.7561E-04, A8=1.2765E-05,
A10=1.2555E-25
第3面
K=-1.1346, A2=0.0000E+00, A4=5.9089E-03, A6=-4.6343E-04, A8=2.5707E-04,
A10=-6.6971E-05
第4面
K=-2.339E+09, A2=0.0000E+00, A4=8.0924E-03, A6=-4.2987E-03, A8=0.0000E+00,
A10=0.0000E+00
第6面
K=61.1724, A2=0.0000E+00, A4=-5.5183E-03, A6=-1.0917E-02, A8=4.3950E-03,
A10=3.1352E-03
第7面
K=0.0484, A2=0.0000E+00, A4=2.6608E-03, A6=-3.5787E-03, A8=7.2654E-04,
A10=0.0000E+00
第8面
K=-2.131E+09, A2=0.0000E+00, A4=-7.2078E-03, A6=-2.0410E-03, A8=3.8621E-04,
A10=0.0000E+00
第9面
K=-1.3594, A2=0.0000E+00, A4=-8.1336E-04, A6=-7.1326E-04 A8=2.1947E-04,
A10=0.0000E+00
第10面
K=-0.0933, A2=0.0000E+00, A4=1.8203E-02, A6=8.6950E-04, A8=1.4633E-06,
A10=0.0000E+00
第11面
K=2.597E+04, A2=0.0000E+00, A4=2.3420E-03, A6=-5.4788E-04, A8=2.8440E-05,
A10=0.0000E+00
各種データ
ズーム比          2.85
広角端      中間      望遠端
焦点距離        4.7036     7.8996    13.3983       
Ｆナンバー      3.2498     3.6609     5.0666                 
半画角           35.32      21.18      12.96       
像高               2.9        2.9        2.9             
レンズ全長     16.0003    15.9991    16.0010                    
BF              0.9160     2.4269     4.3103       
D２             5.97058   3.59340    0.44700             
D７             0.51917   2.32881    3.87980             
D９             1.69271   0.74817    0.46198             
D11             0.25180   1.76220    3.64720                  
６面有効径      0.88788   1.18949    1.22166       
入射瞳位置       5.2196    4.1976     2.3665                 
射出瞳位置      -3.3561   -5.0083    -6.8197       
前側主点位置     4.7445    3.7041    -0.3641       
後側主点位置    -4.3032   -7.4987   -12.9990                
単レンズデータ
レンズ      始面        焦点距離
1             1         -13.0616
2             3           5.2980
3             6          -9.9524
4             8           4.9804
5            10          -5.3484
ズームレンズ群データ
群   始面   焦点距離   レンズ構成長    倍率       倍率        前側        後側
（広角端） （望遠端）   主点位置    主点位置
1     1    -13.06162     0.84794        0          0         0.22648    -0.30187
2     3      6.66529     3.80768    -0.63551    -1.34260    -2.18076    -3.50860
3     8      4.98037     1.66007     0.46205     0.41054     1.07481     0.00001
4    10     -5.34845     0.45000     1.22638     1.86102    -0.00075    -0.29478
【００７９】
次に、上記条件式（１）〜条件式（５）における上記実施例１（数値実施例１）、実施例２（数値実施例２）、実施例３（数値実施例３）、実施例４（数値実施例４）、実施例５（数値実施例５）のとる値を示す。
【００８０】
各条件式における実施例のとる値
実施例１    実施例２    実施例３    実施例４    実施例５
条件式（１）       301.977     180.506     99.467       80.93  
条件式（２）       301.977     180.506     99.467                  
条件式（３）        28.870      32.290                             
条件式（４）max      1.633       1.633      1.633       1.633       1.633
条件式（４）min      1.530       1.544      1.544       1.530       1.530
条件式（５）max      0.0025                                            
条件式（６）         0.065                                           
【００８１】
以上のような本発明によるズームレンズは、ズームレンズにより形成された物体像をＣＣＤなどの撮像素子に結像させることによって撮影を行う撮影装置、例えばデジタルカメラやビデオカメラに用いることができる。以下にその具体例を示す。
【００８２】
図１１、図１２及び図１３は、本発明を用いたデジタルカメラの構成を示す概念図であって、図１１はデジタルカメラの外観を示す前方斜視図であり、図１２は同後方斜視図であり、図１３はデジタルカメラの構成を模式的に示した透視図である。
【００８３】
デジタルカメラは、前面に、撮影用開口部１，ファインダー用開口部２，フラッシュ発光部３が設けられている。また、上部にシャッターボタン４が設けられている。また、背面に、液晶表示モニター５，情報入力部６が設けられている。また、デジタルカメラの内部には、ズームレンズ７，処理手段８，記録手段９，ファインダー光学系１０を備えている。また、ファインダー用開口部２や、ファインダー光学系１０の射出側であってデジタルカメラの背面に設けられている開口部１１には、カバー部材１２が配置されている。また、撮影用開口部１にもカバー部材１３が配置されている。
【００８４】
デジタルカメラの上部に配置されたシャッターボタン４を押圧すると、それに連動してズームレンズ７、例えば本発明の実施例１に記載されているようなズームレンズを通して撮影が行われる。物体像は、ズームレンズ７、ローパスフィルタＬＦ、カバーガラスＣＧを介して固体撮像素子であるＣＣＤ７ａの結像面上に形成される。このＣＣＤ７ａの結像面上に結像された物体像の画像情報は、処理手段８を介して記録手段９に記録される。また、記録された画像情報は、処理手段８によって取り出され、電子画像としてカメラ背面に設けられた液晶表示モニター５に表示することもできる。
【００８５】
また、ファインダー光学系１０は、ファインダー用対物光学系１０ａと、正立プリズム１０ｂと、接眼光学系１０ｃとにより構成されている。ファインダー用開口部２から入射する被写体からの光は、ファインダー用対物光学径１０ａにより、像正立部材である正立プリズム１０ｂに導かれ、物体像を視野枠１０ｂ1内に正立正像として結像し、その後、その物体像が接眼光学系１０ｃにより観察者の眼Ｅに導かれる。
【００８６】
このように構成されたデジタルカメラは、ズームレンズ７が、高倍率比を有し小型であるので、良好な性能を確保するとともにデジタルカメラの小型化を実現することができる。
【符号の説明】
【００８７】
Ｇ１            第１レンズ群
Ｇ２            第２レンズ群
Ｇ３            第３レンズ群
Ｇ４            第４レンズ群
Ｌ１１，Ｌ１２，Ｌ２１，Ｌ２２，Ｌ２３，Ｌ３，Ｌ３１，Ｌ３２，Ｌ４，Ｌ４１，Ｌ４２             レンズ要素
Ｌｃ            光軸
Ｓ              開口絞り
ＣＧ            カバーガラス
ＩＭ            撮像面
Ｅ              観察者の眼球
１              撮影用開口部
２              ファインダー用開口部
３              フラッシュ発光部
４              シャッターボタン
５              液晶表示モニター
６              情報入力部
７              ズームレンズ
７ａ            ＣＣＤ
８              処理手段
９              記録手段
１０            ファインダー光学系
１０ａ          ファインダー用対物光学系
１０ｂ          正立プリズム
１０ｂ1         視野枠
１０ｃ          接眼光学系
１１            開口部
１２，１３      カバー部材
【図１】
2010191019.tif 000003
【図２】
2010191019.tif 000004
【図３】
2010191019.tif 000005
【図４】
2010191019.tif 000006
【図５】
2010191019.tif 000007
【図６】
2010191019.tif 000008
【図７】
2010191019.tif 000009
【図８】
2010191019.tif 000010
【図９】
2010191019.tif 000011
【図１０】
2010191019.tif 000012
【図１１】
2010191019.tif 000013
【図１２】
2010191019.tif 000014
【図１３】
2010191019.tif 000015